(57)【特許請求の範囲】
【請求項１】
第１の皮接面を持ち、少なくともこの皮接面が貴金属又はその合金から成る第１の導電性鉱物（１）と、
この第１の導電性鉱物（１）に近接して配置されると共に、第２の皮接面を持ち、少なくともこの皮接面がｎ型半導体から成る第２の導電性鉱物（２）と、
第１、第２の導電性鉱物（１）、（２）の非接領域間を電気的に結ぶ保護抵抗と、
を具え、上記貴金属又はその合金とｎ型半導体との組み合わせは、貴金属又はその合金の標準単極電位がｎ型半導体の標準単極電位よりも相対的に大となるように選択したものとし、
上記保護抵抗の値は、生理活性化後の過電流抑制用であって上記標準単極電位差に基づく起電力と生理活性化後の皮膚インピーダンスとに基づいて設定した値とし、上記第１、第２の皮接面が同時に皮接して用いられる皮接治療具。
【請求項２】
上記保護抵抗（３）の値は、０．１〜５０ＭΩの範囲にあるものとした請求項１の皮接治療具。
【請求項３】
上記保護抵抗（３）は、導電性を持つ液晶を電極板で挟んでなる抵抗体であって、生理活性前に比べて、生理活性化後の皮膚インピーダンスの低下によってその両端に印加される外部取出し電圧が大のときに大きな抵抗値、となる抵抗体とする請求項１又は２の皮接治療具。
【請求項４】
前記保護抵抗（３）は、導電性フィラーを分散した樹脂から成り、且つ前記第１の導電性鉱物（１）と前記第２の導電性鉱物（２）とは、前記樹脂によって接着され、電気的に接続されている、請求項１又は２のいずれかに記載の皮接治療具。
【請求項５】
前記ｎ型半導体は、酸化物半導体であり、前記第２の導電性鉱物（２）は、該酸化物半導体を構成する金属元素を含んでいる、請求項１〜４のいずれかに記載の皮接治療具。
【請求項６】
皮接時に前記貴金属又はその合金より皮膚内に注入された電子及び前記上記ｎ型半導体より皮膚内に注入された正孔の運動に影響を及ぼす程度の強さの磁場が付与されている、請求項１〜５のいずれかに記載の皮接治療具。
【発明の詳細な説明】
【０００１】
【産業上の利用分野】
本発明は、皮接治療具に関する。
特に、肩コリや腰痛等の不定愁訴解消に効果のある皮接治療具に関する。
【０００２】
【従来の技術】
近年、生活様態の複雑化や高齢者の増加に伴って、慢性的なコリや痛みに悩まされる患者が増加している。その主要な原因は、筋肉や神経の局部的疲労によると言われている。
筋肉や神経の疲労をもたらす原因は、各人によって異なり、またその程度も異なるが、スポーツによる筋肉疲労のような一過性のものではなく原因が日常生活の中にある場合には、慢性疾患になることが多い。コリや痛みが重度の場合は、病院における物療や鍼灸治療に頼らざるを得ないが、比較的軽度であっても日常生活では、不快感（不定愁訴）を伴なうので、簡便な治療方法の開発が求められている。
【０００３】
従来、家庭におけるコリや痛みの治療具として、パップ剤や温灸、金属粒や磁気治療具、低周波治療器などが開発、市販されている。これらはいずれも患部の血行を促進し、以って局部的に滞留した老廃物質を浄化しようとする狙いで開発されている。
このうちパップ剤や温灸、磁気治療具は血管拡張による効果を、また低周波治療器は規則的に筋肉を緊張・弛緩させることによる物療効果を、更に金属粒は東洋医学における経絡・経穴治療を目的としたものである。
これに対して本発明者は、皮接時に生体電池が形成されて弱い直流起電力の通電刺激で筋肉や神経の疲労を癒し得るイオン浸透器を開発した（特許第１３８８９４９号、特許第１４２７３６０号、特許第１６３１１３７号、実用新案１９２２１６６号など）。
これらのイオン浸透器は、コリや痛みの治療に対して前記した家庭用治療具以上の効果を発揮している。
【０００４】
前記のイオン浸透器と同様、生体電池の形成を目的とする治療具として、外部回路短絡型の異種金属組合せによるものが開示されている（例えば、実開昭５７−１０３７４３号公報）。
本発明者のイオン浸透器は、半導体結晶とこれより標準単極電位の高い金属とを導電接続して皮接するもので、前記異種金属組合せの皮接具とは構成と共に、よってきたる効果を異にする。
図２は、この二つの皮接具の違いを説明するための図である。
図２（Ａ）は、金属正極／半導体負極の組合せによる生体電池の原理を示している。即ち、この生体電池では、半導体負極から金属正極へ流出した電子が、金属正極から電解質である皮膚内へ流入して還元作用（例えば体内に分布する鉄イオンについては、Ｆｅ３＋＋ｅ−→Ｆｅ２＋）を惹起すると同時に、電子の不足した半導体負極で発生する正孔が皮接面で発生するショットキー障壁の内部電界によってドリフトして半導体結晶の皮接面に集中し、皮接面の半導体原子をイオン化する。内部電界は陽イオン及び正孔を半導体負極から引き剥す作用をするので、解離した半導体イオンが正孔と共に皮膚内に浸透する。皮膚内では正孔が酸化作用（例えばＦｅ２＋＋ｈ＋→Ｆｅ３＋）を生ずる。
また、皮接面のショットキー障壁は、皮膚内から電子や陰イオンが半導体内に流入するのを阻止する働きを示すので、負極の前記酸化作用（陽イオンの剥離と正孔の流失）が安定して継続し、起電力が長時間に亙って安定に続くのである。
【０００５】
一方，異種金属の組合せ（例えばＣｕ／Ｚｎの組合せ）による皮接具においては、図２（Ｂ）で示すように電子親和力χのより大きな金属Ａに向かって電子が金属Ｂから流出するため、金属Ｂでは電子が不足してプラスに帯電する（χＡ＞χＢ）。しかし、金属Ｂは皮接面でショットキー障壁を形成することはないので、皮膚面或はその近傍に分布する水分由来のマイナスイオンＯＨ−が金属Ｂの表面層に浸入して速やかに吸着化合する。この結果、金属Ｂの皮接面には水酸化物が形成される。
例えば、Ｃｕ／Ｚｎの組合せでは、金属ＢであるＺｎの皮接面で、
Ｚｎ２＋＋２ＯＨ−→Ｚｎ（ＯＨ）２
なる反応を生じる。
卑金属のこれら水酸化物は一般に絶縁性であり、そのため金属Ｂの表面が高抵抗化して起電力が不安定になり、やがて水酸化物層厚の増大に伴って発電が停止する。これが表面の不動態化現象である。
【０００６】
また、金属正極／半導体負極の組み合わせでは、図２（Ａ）で示す様に、正極下の還元生成イオン（例えばＦｅ２＋）と負極下の酸化生成イオン（例えばＦｅ３＋）とが相互拡散して、図示した向きに皮膚内の実効的なイオン電荷の流れを作り、各領域のイオン不足分を補うため、いわゆる電池の逆起電力は起きにくい。
これに対して、異種金属の組合せでは、図２（Ｂ）に示すように、正極下で発生した還元生成イオン（例えばＦｅ２＋）の元になる被還元イオン（例えばＦｅ３＋）の不足分が半導体負極下から補われないので、被還元イオンが次第に不足して逆起電力が発生しやすいという欠点もある。
前記した説明のように、外部回路を短絡した金属正極／半導体負極形生体電池は、皮接後に安定した酸化・還元作用、したがって安定した起電力を示すため、長時間の皮接によっても劣化が少なく、実用的なコリ、痛みの治療具として高い治療効果をあげている。
【０００７】
【従来技術の問題点】
図２（Ａ）を用いて動作を説明した金属正極／半導体負極形生体電池は、安定した起電力によって持続的に筋肉及び神経系組織に通電刺激を与え、効果的にコリや痛みを解消させることが出来る。慢性的なコリや痛みの原因は、通常患者各人の日常生活の中にあるので、一時的に治療効果が発揮されても治療行為を中止すれば、再びコリや痛みが戻ることが多い。そこで前記した生体電池も長期連用されることが多い。
ところで前記生体電池の理論発生起電力は、金属正極と半導体負極の材料組合せ及び皮膚内における様々な酸化（負極下）・還元（正極下）反応の化学エネルギー和によって決まる。したがって、同じ人が同じ場所に皮接する場合には、起電力、したがって通電刺激値を材料組合せによって調節することが出来る。
【０００８】
理論発生起電力を電圧で表わしてＥＴとする時、図１のような皮接時閉回路を考えると、金属正極／半導体負極間に取出される外部起電力Ｅは、
Ｅ≒（ＲＣ１＋ＲＣ２）Ｉ＝ＥＴ−ＲＳ  Ｉ                  （１）
となる。ここで、ＲＳは皮膚内の電極間インピーダンス即ち生体電池の内部抵抗（以下単に「皮膚インピーダンス」という。）、またＲＣ１、ＲＣ２は各電極と皮膚との間の接触抵抗、ＲＣは両接触抵抗ＲＣ１、ＲＣ２の和、Ｉは回路電流である。
前記したコリと痛みを解消する治療効果は、生体電池の電流刺激によって生ずると考えられるので、強い治療効果を得るには電流Ｉを大とすれば良い。
電流Ｉは次式で与えられる。そして、一般にＲＣ２＞＞ＲＣ１である。
【０００９】
【数１】
0003748278.tif 000002
【００１０】
高齢者は一般に皮膚の含水率が低く、従って、接触抵抗ＲＣ（＝ＲＣ１＋ＲＣ２）、皮膚インピーダンスＲＳは、共に高くなる。
皮膚インピーダンスＲＳは、金属正極／半導体負極間の距離を短縮することによって、小さくすることが出来る。従って、高齢者や重症患者には、高い理論発生起電力ＥＴを与える材料組合せ、及び皮接治療具のデバイス形状の工夫（皮膚インピーダンスＲＳ、及び接触抵抗ＲＣ（＝ＲＣ１＋ＲＣ２）を低減する工夫）を行えば効果的である。
ところが、生体の皮膚インピーダンスは極めて変化しやすい性質をもつ。
特に、本発明者らは、前記生体電池の適用試験の過程で、生体電池の皮接通電によって筋肉、神経系組織が生理活性化されると、皮膚インピーダンスが著しく低下する現象を、独自に発見した。
通常、皮膚インピーダンスＲＳは、正負電極方向に測定して１０〜５０ＭΩ／ｃｍ、両電極の接触抵抗ＲＣ（＝ＲＣ１＋ＲＣ２）は、１〜１５ＭΩ／ｃｍであるが、前記生体電池の皮接によってコリや痛みが緩解した患者の皮接前後における皮接箇所の皮膚インピーダンスを測定してみると、皮膚インピーダンスＲＳ、及び接触抵抗ＲＣが、共に５０〜９５％程度低下していることが認められた。これは、皮膚呼吸など新陳代謝の活性化によって皮膚内のイオン導電度が局部的に高まったことに起因するものと考えられる。
【００１１】
理論発生起電力ＥＴは基本的に変化しないので、式（１）によれば、生理活性化の結果、意図せざる皮膚内電流値Ｉの増加（２〜２０倍の増加）がもたらされることになる。このような大幅な電流値の増加は、皮膚組織に対する過剰刺激をもたらす。したがって、皮膚の弱い患者はアレルギー反応を起こし、発赤や掻痒感を訴えることがある。つまり、コリや痛みの治療と引換えに、皮膚損傷を引起こす場合が散見されたのである。
これに対しては、勿論、当初から理論発生起電力ＥＴの小さな組合せを選択すれば対処出来るが、理論発生起電力ＥＴが小さい組合せでは、通電効果が限定されるので、高齢者や重症患者には治療効果が薄くなるおそれがないではない。
以上の問題点は、本発明者らによって、独自に発見されたものである。
【００１２】
【発明の目的】
それ故、本発明の第１の目的は、皮接中に生理活性化して皮膚インピーダンスが低下しても、皮膚損傷を起こす可能性の小さな金属正極／半導体負極形生体電池皮接治療具を提供することにある。
本発明の第２の目的は、安価でディスボーサブルな生体電池形皮接治療具を提供することにある。
【００１３】
【目的を達成するための手段】
本発明は、第１の皮接面を持ち、少なくともこの皮接面が貴金属又はその合金から成る第１の導電性鉱物（１）と、
この第１の導電性鉱物（１）に近接して配置されると共に、第２の皮接面を持ち、少なくともこの皮接面がｎ型半導体から成る第２の導電性鉱物（２）と、
第１、第２の導電性鉱物（１）、（２）の非接領域間を電気的に結ぶ保護抵抗と、
を具え、上記貴金属又はその合金とｎ型半導体との組み合わせは、貴金属又はその合金の標準単極電位がｎ型半導体の標準単極電位よりも相対的に大となるように選択したものとし、
上記保護抵抗の値は、生理活性化後の過電流抑制用であって上記標準単極電位差に基づく起電力と生理活性化後の皮膚インピーダンスとに基づいて設定した値とし、上記第１、第２の皮接面が同時に皮接して用いられる皮接治療具を開示する。
【００１４】
前記第２の皮接物質は、安価でディスボーザブルな皮接具を実現するために、酸化物半導体であり、前記第２の導電性鉱物２は、これらの酸化物半導体を構成する金属元素であることが好ましい。
酸化物半導体は、例えば酸化インジウムＩｎ２Ｏ３、酸化アンチモンＳｂ２Ｏ５、酸化錫ＳｎＯ、酸化亜鉛ＺｎＯ、酸素欠損型酸化アルミニウムＡｌ２Ｏ３−Ｘ、酸素欠損型酸化バナジウムＶ２Ｏ５−Ｘであり、
第２の導電性鉱物２は、例えば、酸化インジウムＩｎ２Ｏ３に対してはインジウムＩｎ、酸化アンチモンＳｂ２Ｏ５に対してはアンチモンＳｂ等であることが好ましい。
更に、前記保護抵抗３を有する皮接具に、磁場を付与することが出来る。磁場の強さは、皮接時に前記第１の皮接物質から皮膚内に注入された電子、及び前記第２の皮接物質から皮膚内に注入された正孔の運動に影響を及ぼす程度の強さとする。
【００１５】
【作用】
第１の導電性鉱物（導電性鉱物Ａ）と第２の導電性鉱物（導電性鉱物Ｂ）とを保護抵抗Ｒを介して、それぞれの非皮接部位で電気接続すると、皮接時に図３のような閉回路が形成されるため、電流Ｉが流れる。電流Ｉは、次の式（３）又は（４）で与えられる。
（Ｒ＋ＲＣ１＋ＲＣ２）Ｉ＝ＥＴ−ＲＳＩ                      （３）
Ｉ＝ＥＴ／（Ｒ＋ＲＳ＋ＲＣ１＋ＲＣ２）                      （４）
ここに、皮膚インピーダンスＲＳ及び接触抵抗ＲＣ１、ＲＣ２は可変である。そして、前記したように、ＲＳ＞＞ＲＣ２＞＞ＲＣ１である。
そこで、保護抵抗Ｒを皮膚インピーダンスＲＳ程度の大きさに選んでおくと、式（４）から解る様に、生理活性化によって皮膚インピーダンスが１桁程低下したとしても、電流は、高々２倍程度の増加にとどまり、過電流の通電による皮膚損傷を避けることが出来る。
保護抵抗を、導電性フィラーを分散した樹脂で形成し、第１の導電性鉱物と第２の導電性鉱物とをこの樹脂で接着して外部回路接続とした正負極一体化構造の生体電池はコンパクトであり、ワンタッチで皮接出来る。
【００１６】
第２の導電性鉱物（導電性鉱物Ｂ）の皮接面が酸化物半導体被膜、その基板がこの酸化物半導体を構成する金属元素で形成されていると、皮接した時、前記したイオン浸透器とは異なる振舞いをする。このような二重構造は、正極金属甲（第１の皮接物質）より標準単極電位の低い（電子親和力χの小さな）金属の表面を酸処理することによって、その表面に容易に厚さ１μｍ以下の金属酸化膜を生成して得ることが出来る。一般に負極皮接面に形成される半導体内の高電界領域（ショットキー障壁に起因する空乏層領域）幅は、１〜３μｍに達するので、前記のような金属酸化物半導体皮膜では、皮接時膜全体が空乏層化していることになる。
【００１７】
図３に示したように、保護抵抗Ｒを入れて電気的閉回路を形成すると、導電性鉱物Ｂ（負極）から導電性鉱物Ａ（正極）側へ熱的励起された電子ｅ−が流出後内部電界に偏倚された正孔ｈ＋は極めて速やかに皮膚内に注入されるが、イオン浸透器のように半導体イオン（Ｓ＋）が剥離して注入されることはない。これは、酸化物半導体においては金属と酸素のイオン結合力が強いためである。むしろ、電子が流出して正に帯電すると、化学的に活性になり、金属の界面で酸化反応が促進される。そして酸化物半導体の膜厚は速やかに本来の高電界領域幅であるほぼ１〜３μｍまで肥厚する。この厚さ以降も酸化は徐々に進行し、共有結合性の半導体でみられるような半導体イオンの皮接面からの剥離は、ほとんど生起しないと考えられる。
前記したような金属の表面処理によって形成した酸化物半導体負極を用いれば、生産コストが安くなり、安価でディスポーザブルな皮接治療具の形成が可能となる。
【００１８】
図４は、外部回路に保護抵抗Ｒを入れて正極と負極とを電気接続した生体電池に、皮膚内に注入される電子及び正孔の運動が影響を受ける程度の磁場Ｈを付与した場合の電子、正孔の動きを模式的に示したものである。
図４において、生体電池電極（導電性鉱物Ａ、Ｂ）近傍の皮膚内には、一様な強度の磁場Ｈが図示した方向（紙面の表側から裏側へ向かう方向）に印加されているものとする。この時、正極下皮膚内に注入される電子ｅ−及び負極下皮膚内に注入される正孔ｈ＋は、電磁力の作用を受けてそれぞれ図示した方向へ円運動をする。その半径ｒは、磁場強度Ｈに反比例し、皮膚内浸透速度と電子質量（又は正孔質量）に比例する。この円運動によって電子の還元作用及び正孔の酸化作用は、それぞれの電極外部分へ広がるため、還元及び酸化生成物質の局所濃度が薄まり、それだけ電池の逆起電力（減極作用）が起きにくくなる。
【００１９】
【実施例】
本発明による皮接治療具の第１の実施例について説明する。
図５は、同第１の実施例を皮接した状態におけるその断面図である。
図５において、１は第１の導電性鉱物（導電性鉱物Ａ）、２は第２の導電性鉱物（導電性鉱物Ｂ）、３は保護抵抗、４は絆創膏又は貼着布、５は皮膚である。
第１の導電性鉱物（導電性鉱物Ａ）１は、直径６ｍｍ、厚さ２ｍｍの真鍮円盤の一の面の中央部に、高さ３ｍｍの突起１ｒを設け、該突起１ｒを有する面（の全部又は一部）に金メッキを施して成るものである。この場合、第１の皮接物質（皮接物質甲）は、金（１８Ｋ）である。
そして、円盤１の中央部に位置する突起１ｒは皮接部を構成し、突起１、を除く円盤部分は導電部を構成する。
第２の導電性鉱物（導電性鉱物Ｂ）２は、外径６ｍｍ、内径２．５ｍｍ、厚さ
１ｍｍの亜鉛製円環の表面を、酸処理によって、厚さ約０．５μｍの酸化亜鉛被膜に変えて成るものである。この場合、第２の皮接物質（皮接物質乙）は、ｎ形半導体の酸化亜鉛である。
保護抵抗３は、カーボン粉末を分散させた抵抗率１０８Ω／ｃｍのエポキシ系樹脂を、前記第１の導電性鉱物１の有突起面側の平坦部に、約１ｍｍの厚さで塗布してなるものである。保護抵抗３の抵抗値Ｒは、例えば１０ＭΩ（皮接開始時の皮膚インピーダンスにほぼ相当する値）である。
保護抵抗３と第２の導電性鉱物（導電性鉱物）２との接着は、前記樹脂が乾燥する前に、前記樹脂の上に第２の導電性鉱物２を、図示したように、載置することによって、行われる。
皮接治療具である生体電池の外部回路は、保護抵抗Ｒを介して接続される。皮接する前に前記第１の導電性鉱物１と第２の導電性鉱物２の両端で測定した保護抵抗３の抵抗値は、約１０ＭΩであった。
【００２０】
第１の実施例の治験結果について説明する。
前記の皮接治療具を絆創膏４で肩コリ患者の患部皮膚５に圧接して、効き目を調べた。
治験は、同一人に対して３ケずつ同時に３日間貼着して行なった。
被験者男女７５名に対してそれぞれ年代別に著効、有効、無効を調べた結果を下記表１に示す。
【００２１】
【表１】
0003748278.tif 000003
【００２２】
前記表１によれば、有効治験率、即ち著効数と有効数とを加え、これを被験者総数で除した値は、８２．７％であることが解る。
また、皮膚発赤や掻痒感などの皮膚トラブルは、６．７％であることが解る。
【００２３】
第１の実施例に係る、第１の対比例について説明する。
本発明との対比のために、第１の導電性鉱物と第２の導電性鉱物とを、保護抵抗を介することなく、導電性ペーストで直接的に接着し（従って外部回路をほぼ短絡状態となし）、同様な被験テストを行なった。
この場合の有効治験率は、約８５％で、第１の実施例よりも若干高くなっていたが、皮膚トラブル数は、増加し、約１７％に達した。
【００２４】
前記表１に示した若干の皮膚トラブルを詳しく検討して見たところ、明らかに絆創膏３による軽度の接触性皮膚炎の場合が大部分で、通電刺激による電極周辺のトラブルは少なかった。
これに対して、保護抵抗Ｒを用いない場合（比較例）の皮膚トラブルの半数以上（被験者の７０％以上）は、通電刺激によるものと認められた。
これを要するに、本発明の第１の実施例は、保護抵抗３を導入することによって、通電刺激による皮膚トラブルを、導入前に比べて、約１／４〜１／５に減少させ得たことが明らかである。
皮接部位における皮接治療具の外部取出起電力は、０．６〜１．２ボルトに達しているが、保護抵抗３の抵抗値Ｒ、例えば約１０ＭΩ（皮接開始時の皮膚インピーダンスにほぼ相当する値）が、生理活性化後の過電流を抑制しているのである。保護抵抗３を導入したことの効果は明らかである。
【００２５】
本発明の皮接治療具の第２の実施例について説明する。
図６は、同第２の実施例の皮接治療具の構成を示す図であって、同図（Ａ）は上面図、（Ｂ）は側面図である。
図６において、１は第１の導電性鉱物（導電性鉱物Ａ）、２は第２の導電性鉱物（導電性鉱物Ｂ）、３は保護抵抗、４は貼着布、５は皮膚である。
第１の導電性鉱物（導電性鉱物Ａ）１は、錫の薄いフィルム表面に厚さ約２μｍのロジウムがメッキされたものである。
第２の導電性鉱物２（導電性鉱物Ｂ）は、錫の薄いフィルム表面に厚さ０．５μｍの酸化錫薄膜が蒸着されたものである。
貼着布４は、適当な大きさ、例えば５０×５０ｍｍ２位とする。その周縁部は皮接部位として機能する。
【００２６】
保護抵抗３は、酸化インジウムＩｎ２０３を分散させたポリイミド膜層から成っておって、その厚みは、約０．５ｍｍ、抵抗率は１０６Ω／ｃｍ程度である。
この場合、保護抵抗値Ｒは、第１の導電性鉱物１と第２の導電性鉱物２の間で、例えば０．５ＭΩ程度と成る。
保護抵抗３の層は、貼着布４の粘着面の非皮接領域全面に、図示のように、塗布されて成る。
保護抵抗３のポリイミド樹脂が乾燥する前に、帯状の第１の導電性鉱物１及び第２の導電性鉱物２を、図示の如く、交互に且つ規則正しい間隔をおいて、ポリイミド樹脂層に貼付する。第１の導電性鉱物１及び第２の導電性鉱物２の幅は各々例えば２ｍｍ、間隔は例えば１ｍｍとする。
保護抵抗３のポリイミド樹脂が乾燥すれば、完成品となる。
【００２７】
第２の実施例の治験結果について説明する。
皮接治療具を、貼着布４の皮接部位を利用して、コリや痛みのある箇所に皮接する。
そうすると、ｎ形酸化錫→保護抵抗３→ロジウム→皮膚→ｎ形酸化錫という電気的閉回路が形成され、生体電池が発電し、通電刺激が皮下組織に加えられる。
この場合、保護抵抗値Ｒは、第１の導電性鉱物１と第２の導電性鉱物２との間で、０．５ＭΩ程度である。
第２の実施例の皮接部位における外部取出起電力は、０．３〜０．７ボルトであり、第１の実施例の場合よりかなり低いため、保護抵抗値Ｒが１桁低くても、治験における皮膚トラブルは、被験者の約５％程度しか発生しないことが確かめられた。
第２の実施例の皮接治療具は、広い面積と柔軟性を有するため、一枚で広い患部をカバー出来るという特色がある。この皮接治療具を腰痛患者に適用した治験では、有効治癒率は７０％を越えた。
【００２８】
第２の実施例に係る、第２の対比例について説明する。
比較のために、第２の実施例における保護抵抗Ｒを除去し、この部位に錫箔を敷いて導電ペーストで接着した皮接治療具を作成して、第２の対比例とした。
これによって、治験を行なったところ、皮膚トラブルは被験者の２０％にものぼった。
これを要するに、本発明の第２の実施例は、保護抵抗３を導入することによって、通電刺激による皮膚トラブルを、導入前に比べて、約１／４に減少させ得たことが明らかである。
【００２９】
本発明の皮接治療具の第３の実施例について説明する。
図７は、同第３の実施例の断面図である。
図７において、１は第１の導電性鉱物（導電性鉱物Ａ）、２は第２の導電性鉱物（導電性鉱物Ｂ）、３は保護抵抗、４は貼着布、５は皮膚である。
第３の実施例の構成部材１〜５は、第１の実施例のそれと同じサイズであり、第１の導電性鉱物１と第２の導電性鉱物２との正負極材料組合せは、第１の実施例のそれと同じであるが、第１の導電性鉱物１は、図示の如く、端面で着磁されている。
即ち、第１の導電性鉱物（導電性鉱物Ａ）１は、直径６ｍｍ、厚さ２ｍｍ、中央部に高さ３ｍｍの突起を有する焼結フェライト円盤の突起のある面側に、厚さ３μｍの金メッキ（１８Ｋ）を施した後、円盤円周の対向する１組の方向に着磁したものである。磁束密度は磁極近傍で１２００ガウスであった。
第２の導電性鉱物（導電性鉱物Ｂ）２は、亜鉛製円環の表面に、酸処理によって酸化亜鉛膜を形成して成るものである。
保護抵抗３は、導電性フィラー（添加材）としてのカーボン粉末を分散して成るエポキシ系樹脂である。
【００３０】
この皮接治療具を皮接すると、皮膚内では、図示した方向に、磁場Ｈが印加されることになる。
前記した１２００ガウスの磁束密度は、生体電池正極である金（１８Ｋ）から皮膚内に注入される電子ｅ−、及び負極であるｎ形酸化亜鉛半導体から皮膚内に注入される正孔ｈ＋の運動方向に、電磁力を作用させるに充分な大きさの磁場強度を与える。
その結果、皮接した時に正極から注入される電子は、図示したように紙面背面から手前方向へ、また負極から注入される正孔はその逆方向へ円運動を描いてシフトする。従って、正極下及び負極下のキャリア密度が低くなり、その分だけ電極の外側へ酸化還元領域が広がるため、酸化・還元物質の電極下蓄積による分極が減少し、長時間皮接によっても起電力の低下が避けられるという利点がある。
【００３１】
第３の実施例の治験結果について説明する。
第３の実施例の皮接治療具を用いて、男女各年代の多数の被験者（被験者総数７５名）に対する肩コリの治癒実験を行なった。
第１の実施例の場合と同様に、各人３個ずつ３日間貼着して、著効数と有効数の合計を被験者総数で除することにより、有効治癒率を算定した。
その結果、有効治癒率は、約８９％であった。皮膚トラブルは、第２の実施例と同様に、約５％の低水準に止まった。
有効治癒率が第１の実施例の場合より高まった原因として、磁場付与の効果が考えられる。コリや痛みの治癒をもたらす物理的刺激はこの場合、ツボ圧接効果（指圧効果）、通電効果、磁気効果の三つが相乗していると考えられる。
【００３２】
そこで、比較のために、市販の磁気治療器（磁束密度１２００ガウス）を用いて、同じ被験者による皮接テスト（肩コリ治療）を行なった。この場合も、３ケ／人、３日間貼着して治癒結果を調べた。この結果、有効治癒率は約３７％であった。
上記三つの物理刺激が単純に一次結合して治癒効果を示すものと考えると、以上の治験データから治癒効果に与える各物理刺激の寄与は、指圧効果分が３４．５％、通電効果分が５７．５％、磁気効果分が８％となる。
【００３３】
本発明の皮接治療具の第４の実施例について説明する。
第４の実施例は、第１の実施例を一般化したものである。
第４の実施例の皮接治療具は、
第１の導電性鉱物と第２の導電性鉱物と保護抵抗とから成り、
第１の導電性鉱物又は第２の導電性鉱物の何れか一方は、皮接部と導電部とから成り、
前記皮接部の皮接面と該皮接面に連なる導電部表面との間には、段差が設けられ、
前記何れか一方の導電性鉱物の前記導電部と前記保護抵抗と他方の導電性鉱物とはこの順で積層され、且つ機械的、電気的に接続され、
前記何れか一方の導電性鉱物の前記皮接部と、前記他方の導電性鉱物とは、同時に皮接して用いられる。
第４の実施例のその余の事項は、第１の実施例と同様である。
【００３４】
本発明のその他の実施例について説明する。
（イ）第１の導電性鉱物１は、少なくとも皮接面が、前記した金Ａｕ及びその合金、ロジウムＲｈなどの他、白金ｐｔ、イリジウムＩｒ、パラジウムＰｄ、銀Ａｇやこれらを含む合金を用いることが出来る。
原理的には、貴金属以外の標準単極電位の高い金属、例えば銅Ｃｕを用いることも勿論可能であるが、酸化し易いため、長期連用には耐え得ない。
（ロ）第２の導電性鉱物２は、少なくとも皮接面が、前記した酸化亜鉛ＺｎＯや酸化錫ＳｎＯ以外の金属酸化物半導体、例えば酸化インジウムＩｎ２Ｏ３や酸化ビスマスＢｉ２Ｏ３、酸素欠損型酸化アルミニウムＡｌ２Ｏ３−Ｘ等であっても良いし、非酸化物のｎ形半導体、例えばｎ−Ｇｅや、ｎ−ＳｉＣ等であっても良い。
【００３５】
（ハ）保護抵抗３は、導電性フィラー分散樹脂以外に導電性高分子層を用いることも出来るし、或は無機抵抗を用いることも可能である。
（ニ）保護抵抗３は、また、両端に印加される電圧によって抵抗値が可変となる材料、例えば導電性をもつ液晶を電極板に挟んで用いることなども可能である。
このような可変抵抗は、生体電池の作用で皮下組織が生理活性化し、皮膚インピーダンスＲＳや接触抵抗ＲＣが急激に低下した時、生体電池の外部回路取出し電圧が高くなるのに対応して抵抗値を大にする機能をもたせると、皮下組織が不活性な場合（コリや痛みがある場合）は低抵抗で大電流が流れ、コリや痛みが治癒すると高抵抗化して通電電流を抑えることが出来るので、保護抵抗値Ｒとしてより好ましい。
（ホ）保護抵抗３の適正抵抗値Ｒは、正極材料と負極材料の組合せによっても異なるが、皮膚インピーダンスの大きさと皮接実験データから経験的に割り出された値として、０．１〜５０ＭΩの間の適当な値を選べば良い。
以上の実施例は、本発明の精神の範囲内において、種々なる改変を施すことが出来る。従って、本発明の範囲は、これらの実施例に止まるものではない。
【００３６】
【発明の効果】
以上説明したように、本発明によれば、生体電池皮接治療具の長時間皮接によって、コリや痛みの治癒の結果発生する皮膚インピーダンスの急激な低下に起因して惹起される発赤や掻痒感等の皮膚トラブルを、低率に抑制することが可能になった。
そのために、高起電力を生ずる正極材料と負極材料の組合せの選択が可能となり、コリや痛みの治療に、より効果的な皮接治療具を提供することが可能となった。
また、金属の表面処理による酸化物薄膜半導体負極の形成を利用して、安価でディスポーザブルな皮接治療具の提供が可能になった。
【図面の簡単な説明】
【図１】半導体の負極を使用した生体発電皮接治療具の等価回路を示す図である。
【図２】同生体発電皮接治療具の動作原理を説明するための図である。
【図３】本発明の皮接治療具の等価回路を示す図である。
【図４】本発明の皮接治療具の動作原理を説明するための図である。
【図５】本発明の皮接治療具の第１の実施例の断面図である。
【図６】同第２の実施例の構成を示す図である。
【図７】同第３の実施例の断面図である。
【符号の説明】
１  第１の導電性鉱物（導電性鉱物Ａ）
１ｒ  突起
２  第２の導電性鉱物（導電性鉱物Ｂ）
３  保護抵抗
４  絆創膏又は貼着布
５  皮膚
【図１】
0003748278.tif 000004
【図２】
0003748278.tif 000005
【図３】
0003748278.tif 000006
【図４】
0003748278.tif 000007
【図５】
0003748278.tif 000008
【図６】
0003748278.tif 000009
【図７】
0003748278.tif 000010